(57)【要約】      （修正有）【課題】背景の色に影響を受けずに、目盛部及び目盛数値部を容易に視認することができる作業性に優れた計測用文房具を提供する。【解決手段】直線定規１０ａにおいて、直線定規１０ａの幅方向略中央の長さ方向に亘って設けられた長方形状の透明部２０を境界として、上方に黒色の第一背景部１３ａが、下方に白色の第二背景部１３ｂが設けられている。上記透明部２０と上記白色の第二背景部１３ｂとの間には黒色の第三背景部１３ｃが設けられている。目盛部１１あるいは目盛数値部１２は、上記背景部１３とコントラストが強くなる様に配色する。例えば、上記黒色の第一背景部１３ａにおいては、第一目盛部１１ａを白色とし、第一目盛数値部１２ａも白色で表示して設けて視認性を高めている。【選択図】図１
0003175237.tif 000002
【実用新案登録請求の範囲】
【請求項１】
目盛部及び目盛数値部の背景部を有する計測用文房具であって、上記背景部は、非透明であると共に計測用文房具本体の一部に設けられていることを特徴とする計測用文房具。
【請求項２】
上記目盛部及び目盛数値部が、非透明であることを特徴とする請求項１記載の計測用文房具。
【請求項３】
上記背景部と、上記目盛部及び目盛数値部とはコントラストが大きく形成されていることを特徴とする請求項２記載の計測用文房具。
【請求項４】
上記目盛部及び目盛数値部と上記背景部とが、黒色又は白色のいずれか一方により形成されていることを特徴とする請求項３記載の計測用文房具。
【請求項５】
所定間隔寸法毎に配置された基準となる目盛数値部には、目盛数値部の反対色により形成された背景表示が設けられていることを特徴とする請求項４記載の計測用文房具。
【請求項６】
上記計測用文房具は、計測用文房具本体の一部に、透明で表示された透明部を備えていることを特徴とする請求項４又は５記載の計測用文房具。
【請求項７】
所定間隔寸法毎に配置された基準となる目盛数値部が、他の目盛数値部よりも大きく表示されていることを特徴とする請求項６記載の計測用文房具。
【請求項８】
上記目盛部が計測用文房具端縁から連続して設けられていることを特徴とする請求項７記載の計測用文房具。
【請求項９】
所定間隔寸法毎に配置された基準となる目盛部には、計測用文房具本体の端縁部方向へ向かう矢印が表示されていることを特徴とする請求項８記載の計測用文房具。
【考案の詳細な説明】
【技術分野】
【０００１】
本考案は、計測用文房具の改良に関する。
【背景技術】
【０００２】
公知の計測用文房具、例えば、直線定規、三角定規、分度器等は、全体が透明なプラスチックにより形成され、所定位置に目盛部及び目盛数値部を備えて構成されている。この目盛部及び目盛数値部は、一般に黒色で表示されている。
【０００３】
しかしながら、黒色で目盛部及び目盛数値部が表示された計測用文房具にあっては、当該計測用文房具を当てる紙面等の背景の色が黒等の暗色であるときに、目盛部及び目盛数値部が背景色内に埋没してしまう状態となり、目盛部及び目盛数値部を視認できなくなる、という不都合がある。
【０００４】
この点、透光性を有する定規本体と、当該定規本体の幅方向一端側に沿って設けられた目盛部とを備えた定規において、前記目盛部は、線内の幅方向中央を境界として両側の明度が明暗に区別された色で表示されていることを特徴とする定規が提案されている（特許文献１）。
【０００５】
しかし、上記定規においては、視認できる目盛部が細くなり、視認性が低下することが避けられないという不具合が生じる。また、背景の色が変化した場合、見るべき目盛部も異なることとなるため、迅速な視認が困難になるという不具合が生じる。
【特許文献１】特開２０１１−１２６０５８号公報
【考案の開示】
【考案が解決しようとする課題】
【０００６】
そこで、本考案の課題は、背景の色に影響を受けずに、目盛部及び目盛数値部を容易に視認することができる作業性に優れた計測用文房具を提供することにある。
【課題を解決するための手段】
【０００７】
上記課題を解決するために、請求項１に記載された考案に係る計測用文房具は、目盛部及び目盛数値部の背景部を有する計測用文房具であって、上記背景部は、非透明であると共に計測用文房具本体の一部に設けられていることを特徴とする。
【０００８】
従って、請求項１記載の考案にあっては、上記背景部は、非透明であると共に計測用文房具本体の一部に設けられていることから、目盛部及び目盛数値部を視認することが容易となる。
【０００９】
また、請求項２記載の考案に係る計測用文房具においては、上記目盛部及び目盛数値部が、非透明であることを特徴とする。
【００１０】
従って、請求項２記載の考案にあっては、上記目盛部及び目盛数値部が、非透明であることから、背景の色に影響を受けずに、常に強力なコントラストが生じ、目盛部及び目盛数値部を視認することが容易となる。
【００１１】
また、請求項３記載の考案に係る計測用文房具においては、上記背景部と、上記目盛部及び目盛数値部とはコントラストが大きく形成されていることを特徴とする。
【００１２】
従って、請求項３記載の考案にあっては、上記背景部と、上記目盛部及び目盛数値部とはコントラストが大きく形成されていることから、目盛部及び目盛数値部と、背景部とを容易に見分けることができる。
【００１３】
また、請求項４記載の考案に係る計測用文房具においては、上記目盛部及び目盛数値部と上記背景部とが、黒色又は白色のいずれか一方により形成されていることを特徴とする。
【００１４】
従って、請求項４記載の考案にあっては、上記目盛部及び目盛数値部と上記背景部とが、黒色又は白色のいずれか一方により形成されていることから、目盛部及び目盛数値部と上記背景部との間で、より強力なコントラストが生じ、目盛部及び目盛数値部と、背景部とをより容易に見分けることができる。
【００１５】
また、請求項５記載の考案に係る計測用文房具においては、所定間隔寸法毎に配置された基準となる目盛数値部には目盛数値部の反対色により形成された背景表示が設けられていることを特徴とする。
【００１６】
従って、請求項５記載の考案にあっては、所定間隔寸法毎に配置された基準となる目盛数値部には目盛数値部の反対色により形成された背景表示が設けられていることから、黒色又は白色のいずれか一方により、夫々、基準となる目盛数値部、背景部が形成されているため、非常にコントラストが大きく、基準となる目盛数値部が際立って見えるようになり、基準となる目盛数値部の視認性が向上する。
【００１７】
また、請求項６記載の考案に係る計測用文房具においては、上記計測用文房具は、計測用文房具本体の一部に、透明で表示された透明部を備えていることを特徴とする。
【００１８】
従って、請求項６記載の考案にあっては、上記計測用文房具は、計測用文房具本体の一部に、透明で表示された透明部を備えていることから、上記透明部において非測定物を視認できるため、計測用文房具と、被計測物との相対的な位置を確認することができる。
【００１９】
また、請求項７記載の考案に係る計測用文房具においては、所定間隔寸法毎に配置された基準となる目盛数値部が、他の目盛数値部よりも大きく表示されていることを特徴とする。
【００２０】
従って、請求項７記載の考案にあっては、所定間隔寸法毎に配置された基準となる目盛数値部が、他の目盛数値部よりも大きく表示されていることから、基準となる目盛数値部の視認性が向上する。
【００２１】
また、請求項８記載の考案に係る計測用文房具においては、目盛部が計測用文房具端縁から連続して設けられていることを特徴とする。
【００２２】
従って、請求項８記載の考案にあっては、上記目盛部が計測用文房具端縁から連続して設けられていることから、被計測物端縁と計測用文房具との端縁を当接させるだけで被計測物の長さ等を測定することができる。
【００２３】
また、請求項９記載の考案に係る計測用文房具においては、所定間隔寸法毎に配置された基準となる目盛部には計測用文房具本体の端縁部方向へ向かう矢印が表示されていることを特徴とする。
【００２４】
請求項９記載の考案に係る計測用文房具にあっては、所定間隔寸法毎に配置された基準となる目盛部には計測用文房具本体の端縁部方向へ向かう矢印が表示されていることから、目盛数値部を確認しなくてもおおよその長さ寸法を推測することができる。
【考案の効果】
【００２５】
請求項１記載の考案にあっては、目盛部及び目盛数値部の背景部を有する計測用文房具であって、上記背景部は、非透明であると共に計測用文房具本体の一部に設けられていることから、目盛部及び目盛数値部を視認することが容易となる。
その結果、計測作業が容易に行えることとなるため、作業性に優れた計測用文房具を提供することができる。
【００２６】
請求項２記載の考案にあっては、上記目盛部及び目盛数値部が、非透明であることから、背景の色に影響を受けずに、常に強力なコントラストが生じ、目盛部及び目盛数値部を視認することが容易となる。
その結果、常に計測作業が容易かつ迅速に行えることとなるため、作業性に優れた計測用文房具を提供することができる。
【００２７】
請求項３記載の考案にあっては、上記背景部と、上記目盛部及び目盛数値部とはコントラストが大きく形成されていることから、目盛部及び目盛数値部と、背景部とを容易に見分けることができる。
その結果、請求項２記載の考案の効果に加えて、より計測作業が容易かつ迅速に行えることとなるため、作業性に優れた計測用文房具を提供することができる。
【００２８】
請求項４記載の考案にあっては、上記目盛部及び目盛数値部と上記背景部とが、黒色又は白色のいずれか一方により形成されていることから、目盛部及び目盛数値部と上記背景部との間で、より強力なコントラストが生じ、目盛部及び目盛数値部と、背景部とをより容易に見分けることができる。
その結果、計測作業が容易かつ迅速に行えることとなるため、作業性に優れた計測用文房具を提供することができる。
【００２９】
請求項５記載の考案にあっては、所定間隔寸法毎に配置された基準となる目盛数値部には目盛数値部の反対色により形成された背景表示が設けられていることから、白色と黒色の間の大きなコントラストにより、基準となる目盛数値部が際立って見えるようになり、基準となる目盛数値部の視認性が向上する。
その結果、おおよその長さ等を測定する場合には、瞬時に長さ等を測定できることとなるため、作業性に優れた計測用文房具を提供することができる。
【００３０】
請求項６記載の考案にあっては、上記計測用文房具は、計測用文房具本体の一部に、透明で表示された透明部を備えていることから、上記透明部において非測定物を視認できるため、計測用文房具と、被計測物との相対的な位置を確認することができる。
その結果、計測用文房具位置決めが容易となり、計測作業が迅速に行えることとなるため、作業性に優れた計測用文房具を提供することができる。
【００３１】
請求項７記載の考案にあっては、所定間隔寸法毎に配置された基準となる目盛数値部が、他の目盛数値部よりも大きく表示されていることから、基準となる目盛数値部の視認性が向上する。
その結果、計測作業が容易かつ迅速に行えることとなるため、作業性に優れた計測用文房具を提供することができる。
【００３２】
請求項８記載の考案にあっては、上記目盛部が計測用文房具端縁から連続して設けられていることから、被計測物端縁と計測用文房具との端縁を当接させるだけで被計測物の長さ等を測定することができる。
その結果、計測作業が容易かつ迅速に行えることとなるため、作業性に優れた計測用文房具を提供することができる。
【００３３】
請求項９記載の考案にあっては、所定間隔寸法毎に配置された基準となる目盛部には計測用文房具本体の端縁部方向へ向かう矢印が表示されていることから、目盛数値部を確認しなくてもおおよその長さ寸法を推測することができる。
その結果、目盛数値部を確認する作業を省略することができ、計測作業が迅速に行えることとなるため、作業性に優れた計測用文房具を提供することができる。
【図面の簡単な説明】
【００３４】
【図１】本考案に係る計測用文房具の一実施の形態を示し、実施の形態における直線定規の正面図である。
【図２】本考案に係る計測用文房具の一実施の形態を示し、実施の形態における三角定規の正面図である。
【図３】本考案に係る計測用文房具の一実施の形態を示し、実施の形態における分度器の正面図である。
【考案を実施するための最良の形態】
【００３５】
以下、添付図面に示す実施の形態に基づき、本考案に係る計測用文房具を詳述する。
【００３６】
図１乃至図３に示すように、本実施の形態に係る計測用文房具１０は直線定規１０a、三角定規１０ｂ、及び、分度器１０ｃである。
上記直線定規１０a、三角定規１０ｂ、及び、分度器１０ｃはプラスチックにより形成されている。
【００３７】
図１乃至図３に示すように、上記計測用文房具１０は、目盛部１１及び目盛数値部１２の背景部１３を有し、上記目盛部１１及び目盛数値部１２は非透明であり、上記背景部１３は、非透明であると共に計測用文房具１０本体の一部に設けられている。
【００３８】
図１乃至図３に示すように、上記計測用文房具１０においては、上記背景部１３と、上記目盛部１１及び目盛数値部１２とはコントラストが大きく形成されている。
【００３９】
本実施の形態においては、図１乃至図3に示すように、上記計測用文房具１０においては、上記目盛部１１及び目盛数値部１２と上記背景部１３とが、黒色又は白色のいずれか一方により形成されている。
【００４０】
図１乃至図3に示すように、上記計測用文房具１０は、計測用文房具１０本体の一部に透明で表示された透明部２０を備えている。
【００４１】
図１乃至図3に示すように、上記計測用文房具１０においては、所定間隔寸法毎に配置された基準となる目盛数値部１４が、他の目盛数値部１２よりも大きく表示されている。
【００４２】
図１乃至図3に示すように、所定間隔寸法毎に配置された基準となる目盛数値部１４には基準となる目盛数値部１４の反対色により形成された背景表示が設けられている。
【００４３】
図１乃至図3に示すように、上記計測用文房具１０においては、目盛部１１が計測用文房具端縁１６から連続して設けられている。
【００４４】
図１乃至図3に示すように、所定間隔寸法毎に配置された基準となる目盛部１７には計測用文房具本体の端縁１６方向へ向かう矢印１８が表示されている。
【００４５】
図１に示すように、本実施の形態に係る直線定規１０aは、透明部２０を除いて、非透明である白色又は黒色で表示されている。なお、背景部１３は必ずしも直線定規全体に設けられている必要はない。
【００４６】
図１に示すように、上記直線定規１０aは、細長長方形状に形成されている。
【００４７】
図１に示すように、上記直線定規１０aにおいては、直線定規１０aの幅方向略中央の長さ方向に亘って設けられた長方形状の透明部２０を境界として、上方に黒色の第一背景部１３aが、下方に白色の第二背景部１３ｂが設けられている。上記透明部２０と上記白色の第二背景部１３ｂとの間には黒色の第三背景部１３cが設けられている。
【００４８】
図１に示すように、上記透明部２０の長さ寸法と、直線定規１０aの長さ寸法とは同一である。
【００４９】
図１に示すように、上記黒色の第一背景部１３a、白色の第二背景部１３ｂ、及び、黒色の第三背景部１３cは長方形帯状に形成されている。
【００５０】
図１に示すように、上記黒色の第一背景部１３aの幅寸法は、直線定規１０aの幅寸法の略二分の一であり、上記透明部２０、白色の第二背景部１３ｂ、及び、黒色の第三背景部１３cの幅寸法は、上記黒色の第一背景部１３aの幅寸法の略三分の一である。
【００５１】
図１に示すように、上記黒色の第一背景部１３aにおいては、第一目盛部１１aと、第一目盛数値部１２aが設けられている。
【００５２】
図１に示すように、第一目盛部１１aは白色で表示されている。
【００５３】
図１に示すように、第一目盛部１１aの左方向端部は０ｃｍを示している。
【００５４】
図１に示すように、第一目盛部１１aには１ｃｍ毎に一つの矢印１８が設けられ、基準となる目盛部１７には５ｃｍ毎に二つの矢印１８が設けられている。
【００５５】
図１に示すように、上記第一目盛数値部１２aにおいては、基準となる目盛数値部１４である、０、５、１０、及び、１５の数字は黒色で表示されており、その他の第一目盛数値部１２aである１、２、３、４、６、７、８、９、１１、１２、１３、及び、１４の数字は白色で表示されている。
【００５６】
図１に示すように、基準となる目盛数値部１４である、０、５、１０、及び、１５の数字は、その他の第一目盛数値部１２aである１、２、３、４、６、７、８、９、１１、１２、１３、及び、１４の数字よりも大きく表示されている。
【００５７】
図１に示すように、上記基準となる目盛数値部１４である、０、５、１０、及び、１５には、円形状からなる背景表示１５が設けられ、上記背景表示１５は、黒色で表示された基準となる目盛数値部１４である０、５、１０、及び、１５の数字の反対色である白色で表示されている。
【００５８】
上記白色の第二背景部１３ｂにおいては、第二目盛部１１ｂと、第二目盛数値部１２ｂが設けられている。
【００５９】
図１に示すように、第二目盛部１１ｂは黒色で表示されている。
【００６０】
図１に示すように、第二目盛部１１ｂは直線定規右端縁１６から連続して設けられている。
【００６１】
図１に示すように、第二目盛部１１ｂにおいては、上記直線定規右端縁１６が０ｃｍを示している。
【００６２】
図１に示すように、第二目盛部１１ｂには５ｃｍ毎に一つの矢印１８が設けられている。
【００６３】
図１に示すように、第二目盛数値部１２ｂは黒色で表示されている。
【００６４】
図２に示すように、本実施の形態に係る三角定規１０ｂには、透明部２０を除いて、非透明である黒色で表示された背景部１３が設けられている。なお、背景部１３は必ずしも三角定規全体に設けられている必要はない。
【００６５】
図２に示すように、上記三角定規１０ｂは各辺の長さ寸法が異なる直角三角形状からなる。
【００６６】
図２に示すように、上記三角定規１０ｂの略中央には、円形状の孔部２１が設けられている。
【００６７】
図２に示すように、上記三角定規１０ｂにおいては、上記透明部２０は、長方形状に形成されている。
【００６８】
図２に示すように、上記三角定規１０ｂにおいては、上記透明部２０は、上記孔部２１よりも斜辺２２寄りに設けられている。
【００６９】
図２に示すように、上記透明部２０は、細長帯状に形成されている。
【００７０】
図２に示すように、上記透明部２０は、三角定規１０ｂの斜辺２２に平行であり、他の二辺に接するように形成されている。
【００７１】
図２に示すように、上記三角定規１０ｂにおいては、目盛部１１は、第一目盛部１１ｃと、第二目盛部１１ｄと、第三目盛部１１eにより構成されており、目盛数値部１２は、第一目盛数値部１２ｃと、第二目盛数値部１２ｄと、第三目盛数値部１２eにより構成されている。
【００７２】
図２に示すように、上記第一目盛部１１ｃ及び第一目盛数値部１２ｃは、三角定規１０ｂの斜辺２２上に設けられ、
上記第二目盛部１１ｄ及び第二目盛数値部１２ｄは、三角定規１０ｂの最小の長さ寸法を有する辺上に設けられ、
第三目盛部１１e及び第三目盛数値部１２eは、その他の辺上に設けられている。
【００７３】
図２に示すように、第一目盛部１１ｃ、第二目盛部１１ｄ及び第三目盛部１１eは白色で表示されている。
【００７４】
図２に示すように、第一目盛部１１ｃの左方向端部は０ｃｍを示している。
【００７５】
図２に示すように、第一目盛部１１ｃには、１ｃｍ毎に一つの矢印１８が設けられ、基準となる目盛部１７には５ｃｍ毎に二つの矢印１８が設けられている。
【００７６】
図２に示すように、第一目盛数値部１２ｃにおいては、基準となる目盛数値部１４である、０、５、及び、１０の数字は黒色で表示されており、その他の目盛数値部１２である１、２、３、４、６、７、８、及び、９の数字は白色で表示されている。
【００７７】
上記基準となる目盛数値部１４である、０、５、及び、１０の数字は、その他の第一目盛数値部１２ｃである１、２、３、４、６、７、８、及び、９の数字よりも大きく表示されている。
【００７８】
図２に示すように、上記基準となる目盛数値部１４である、０、５、及び、１０の数字には、円形状からなる背景表示１５が設けられ、上記背景表示１５は、黒色で表示された基準となる目盛数値部１４である、０、５、及び、１０の数字の反対色である白色で表示されている。
【００７９】
図２に示すように、第二目盛部１１ｄ及び第三目盛部１１eは、直角部２３の三角定規端縁１６から連続して設けられている。
【００８０】
図２に示すように、第二目盛部１１ｄ及び第三目盛部１１eにおいては、三角定規端縁１６が０ｃｍを示している。
【００８１】
図２に示すように、第二目盛部１１ｄ及び第三目盛部１１eには、１ｃｍ毎に一つの矢印１８が設けられている。
【００８２】
図２に示すように、第二目盛数値部１２ｄ及び第三目盛数値部１２eは、白色で表示されている。
【００８３】
図３に示すように、上記計測用文房具１０は、分度器１０ｃであって、上記背景部１３は、細幅のアーチ形状からなり、小さい半径寸法を有する第一背景部１３dと、細幅のアーチ形状からなり、大きい半径寸法を有する第三背景部１３fと、細幅のアーチ形状からなり、第三背景部１３fより小さい半径寸法、かつ、第一背景部１３dより大きい半径寸法を有する第二背景部１３eにより構成されている。
【００８４】
図３に示すように、上記分度器１０ｃにおいては、上記第一背景部１３d、第三背景部１３f、第二背景部１３e以外の部分は、透明部２０により構成されている。
【００８５】
図３に示すように、上記目盛部１１は、第一背景部１３dより内方に設けられた第一目盛部１１ｆと、第一背景部１３dより外方かつ第二背景部１３eより内方に設けられた第二目盛部１１ｇと、第二背景部１３eより外方かつ第三背景部１３fより内方に設けられた第三目盛部１１ｈと、第三背景部１３fより外方に設けられた第四目盛部１１iにより構成されている。
【００８６】
図３に示すように、上記目盛数値部１２は、第一背景部１３d上に設けられ、第一目盛部１１ｆに対応する第一目盛数値部１２fと、第二背景部１３e上に設けられ、第二目盛部１１ｇに対応する第二目盛数値部１２ｇと、第三背景部１３ｆ上に設けられ、第三目盛部１１ｈに対応する第三目盛数値部１２hにより構成されている。
【００８７】
図３に示すように、第一背景部１３d、第三背景部１３f、及び、第二背景部１３eは、黒色で表示されている。
【００８８】
図３に示すように、第一目盛部１１ｆは黒色で表示されている。
【００８９】
図３に示すように、第一背景部１３d中央の０の数字に対応する第一目盛部１１ｆには矢印１８が設けられている。
【００９０】
図３に示すように、第一背景部１３dには、第一背景部１３d中央の０の数字を境界として、図中左半分に０乃至９０の目盛数値部１２ｆが、図中右半分に０乃至９０の目盛数値部１２ｆが設けられている。
【００９１】
図３に示すように、上記目盛数値部１２ｆは白色で表示されている。
【００９２】
図３に示すように、第二目盛部１１ｇは黒色で表示されている。
【００９３】
図３に示すように、上記第二背景部１３eには、第二背景部１３e中央に設けられた９０の数字を境界として、図中左半分に９０乃至１８０の目盛数値部１２ｇが設けられ、図中右半分に９０乃至０の目盛数値部１２ｇが設けられている。
【００９４】
図３に示すように、上記目盛数値部１２ｇは白色で表示されている。
【００９５】
図３に示すように、第三背景部１３fには、第三目盛部１１ｈが設けられている。
【００９６】
図３に示すように、第三目盛部１１ｈは白色で表示されている。
【００９７】
図３に示すように、第三背景部１３fには、第三背景部１３f中央の９０の数字を境界として、図中左半分に９０乃至０の目盛数値部１２ｈが設けられ、図中右半分に９０乃至１８０の目盛数値部１２ｈが設けられている。
【００９８】
図３に示すように、目盛数値部１２ｈは白色で表示されている。
【００９９】
図３に示すように、第三背景部１３fにおいては、上記基準となる目盛数値部１４は、９０度部分である。
【０１００】
図３に示すように、上記基準となる目盛数値部１４は白色で表示されている。
【０１０１】
上記基準となる目盛数値部１４である９０の数字は、他の目盛数値部１２hである０、１０、２０、３０、４０、５０、６０、７０、８０、１００、１１０、１２０、１３０、１４０、１５０、１６０、１７０、１８０の数字より大きく表示されている。
【０１０２】
図３に示すように、上記基準となる目盛数値部１４である、９０の数字には、円形状からなる背景表示１５が設けられ、上記背景表示１５は、白色で表示された基準となる目盛数値部１４である９０の数字の反対色である黒色で表示されている。
【０１０３】
図３に示すように、第四目盛部１１iは、黒色で表示されている。
【０１０４】
図３に示すように、第四目盛部１１iにおいては、１０度毎に一つの矢印１８が設けられ、基準となる目盛部１７には、３０度毎に二つの矢印１８が設けられている。
【０１０５】
図３に示すように、上記第一目盛部１１ｆ、第二目盛部１１ｇ、第三目盛部１１ｈ、及び、第四目盛部１１iは分度器端縁１６から連続して設けられている。
【０１０６】
以下、本実施の形態に係る計測用文房具の作用について説明する。
【０１０７】
本実施の形態に係る計測用文房具１０である直線定規１０a、三角定規１０ｂ、及び、分度器１０ｃを使用する場合、上記背景部１３は、非透明であると共に計測用文房具本体１０の一部に設けられていることから、目盛部１１及び目盛数値部１２を容易に視認することができる。
【０１０８】
その結果、計測作業が容易に行えることとなるため、作業性に優れた計測用文房具を提供することができる。
【０１０９】
また、上記目盛部１１及び目盛数値部１２は非透明であることから、計測用文房具１０の下に敷かれた、例えば、色紙等の背景色による視覚的影響を受けないので、常に強力なコントラストが生じ、目盛部１１及び目盛数値部１２と、背景部１３とを容易に見分けることができる。
【０１１０】
その結果、計測作業が容易かつ迅速に行えることとなるため、作業性に優れた計測用文房具を提供することができる。
【０１１１】
また、上記背景部１３と、上記目盛部１１及び目盛数値部１２とはコントラストが大きく形成されていることから、目盛部１１及び目盛数値部１２と、背景部１３とを容易に見分けることができる。
【０１１２】
その結果、計測作業が容易かつ迅速に行えることとなるため、作業性に優れた計測用文房具を提供することができる。
【０１１３】
また、上記目盛部１１及び目盛数値部１２と上記背景部１３とが、黒色又は白色のいずれか一方により形成されていることから、上記目盛部１１及び目盛数値部１２と上記背景部１３との間でより強力なコントラストが生じ、目盛部１１及び目盛数値部１２と、背景部１３とを容易に見分けることができる。
【０１１４】
その結果、計測作業が容易かつ迅速に行えることとなるため、作業性に優れた計測用文房具を提供することができる。
【０１１５】
また、所定間隔寸法毎に配置された基準となる目盛数値部１４には基準となる目盛数値部１４の色の反対色である白色又は黒色で表示された背景表示１５が設けられていることから、白色と黒色との間の大きなコントラストにより、基準となる目盛数値部１４が際立って見えるようになり、基準となる目盛数値部１４を迅速に視認することができる。
【０１１６】
その結果、おおよその長さ等を測定する場合には、瞬時に長さ等を測定できることとなるため、作業性に優れた計測用文房具を提供することができる。
【０１１７】
上記計測用文房具１０は、計測用文房具本体１０の一部に、透明で表示された透明部２０を備えていることから、上記透明部２０において非測定物を視認できるため、計測用文房具１０と、被計測物との相対的な位置を確認することができる。
【０１１８】
その結果、計測用文房具位置決めが容易となり、計測作業が迅速に行えることとなるため、作業性に優れた計測用文房具を提供することができる。
【０１１９】
また、所定間隔寸法毎に配置された基準となる目盛数値部１４が、他の目盛数値部１２よりも大きく表示されていることから、基準となる目盛数値部１４の視認性が向上する。
その結果、計測作業が容易かつ迅速に行えることとなるため、作業性に優れた計測用文房具を提供することができる。
【０１２０】
その結果、計測作業が容易かつ迅速に行えることとなるため、作業性に優れた計測用文房具を提供することができる。
【０１２１】
また、目盛部１１が計測用文房具端縁１５から連続して設けられていることから、被計測物端縁と計測用文房具１０の端縁１５とを当接させるだけで被計測物の長さ等を測定することができる。
【０１２２】
その結果、計測作業が容易かつ迅速に行えることとなるため、作業性に優れた計測用文房具を提供することができる。
【０１２３】
また、所定間隔寸法毎に配置された基準となる目盛部１７には計測用文房具本体１０の端縁部方向へ向かう矢印１８が表示されていることから、手等により目盛数値部１２の視認が妨げられるような場合に、直接目盛数値部１２を確認しなくてもおおよその長さ寸法を推測することができる。
【０１２４】
その結果、目盛数値部を確認する作業を省略することができ、計測作業が迅速に行えることとなるため、作業性に優れた計測用文房具を提供することができる。
【０１２５】
なお、実用新案登録請求の範囲及び明細書で用いている非透明という文言には被測定物の色に完全に影響を受けないものだけでなく、被測定物の色にほとんど影響を受けないものも含まれる。
【産業上の利用可能性】
【０１２６】
本考案は、計測作業を行うための計測用文房具に適用可能である。
【符号の説明】
【０１２７】
１０  計測用文房具
１０a 直線定規
１０b 三角定規
１０c 分度器
１１  目盛部
１１a 直線定規の第一目盛部
１１b 直線定規の第二目盛部
１１c 三角定規の第一目盛部
１１d 三角定規の第二目盛部
１１e 三角定規の第三目盛部
１１f 分度器の第一目盛部
１１g 分度器の第二目盛部
１１h 分度器の第三目盛部
１１i 分度器の第四目盛部
１２  目盛数値部
１２a 直線定規の第一目盛数値部
１２b 直線定規の第二目盛数値部
１２c 三角定規の第一目盛数値部
１２d 三角定規の第二目盛数値部
１２e 三角定規の第三目盛数値部
１２f 分度器の第一目盛数値部
１２g 分度器の第二目盛数値部
１２h 分度器の第三目盛数値部
１３  背景部
１３a 直線定規の黒色の第一背景部
１３b 直線定規の白色の第二背景部
１３c 直線定規の黒色の第三背景部
１３d 分度器の第一背景部
１３e 分度器の第二背景部
１３f 分度器の第三背景部
１４  基準となる目盛数値部
１５  背景表示部
１６  計測用文房具の端縁
１７  基準となる目盛部
１８  矢印
１９  直線定規の幅方向両端部
２０  透明部
２１  三角定規の孔部
２２  三角定規の斜辺
２３  三角定規の直角部
【図１】
0003175237.tif 000003
【図２】
0003175237.tif 000004
【図３】
0003175237.tif 000005